(57)【要約】【課題】液晶表示装置において、電源オフ時に画素電極に電荷が残留することに起因する表示品位の低下を防止する。【解決手段】液晶表示装置は、液晶表示パネル１００とドライバコントローラ２００とソースドライバ３００とゲートドライバ４００と駆動信号発生回路５００と映像信号分配回路６００と検出器７１０とマイクロコンピュータ７２０と主電源７３０と電源制御部７４０と補助電源７５０とを備える。検出器７１０によって電源オフの指令が検出されると、電力供給源が主電源７３０から補助電源７５０に切り替えられる。補助電源７５０によって電力が供給されている期間中に、駆動信号発生回路５００等は、補助容量電極駆動信号、走査信号、映像信号、共通電極駆動信号の順に各信号の出力を停止する。【選択図】図１
2007102007.tif 000002
【特許請求の範囲】
【請求項１】
表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置であって、
前記映像信号と、前記複数の走査信号線を駆動するための走査信号と、前記共通電極を駆動するための共通電極駆動信号と、前記補助容量電極を駆動するための補助容量電極駆動信号とを出力する駆動信号出力部と、
前記駆動信号出力部を動作させるための電力を前記駆動信号出力部に供給する電源電力供給部と、
外部から与えられる所定の電源オフ指令を検出するための電源オフ検出部と
を有し、
前記電源オフ検出部は、前記電源オフ指令を検出すると、所定の電源オフ信号を前記電源電力供給部と前記駆動信号出力部とに与え、
前記電源電力供給部は、前記電源オフ信号を受け取ると、予め決められた所定期間だけ前記駆動信号出力部に電力を供給した後に動作を停止し、
前記駆動信号出力部は、前記電源オフ信号を受け取ると、前記電源電力供給部によって電力が供給されている期間中に、前記補助容量電極駆動信号、前記走査信号、前記映像信号、前記共通電極駆動信号の順に各信号の出力を停止することを特徴とする、液晶表示装置。
【請求項２】
前記駆動信号出力部は、前記補助容量電極駆動信号の出力を停止した後かつ前記走査信号の出力を停止する前に、前記第１の所定容量に印加される電圧が液晶の閾値電圧以下となるように前記映像信号を出力することを特徴とする、請求項１に記載の液晶表示装置。
【請求項３】
表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置であって、
前記映像信号と、前記複数の走査信号線を駆動するための走査信号と、前記共通電極を駆動するための共通電極駆動信号と、前記補助容量電極を駆動するための補助容量電極駆動信号とを出力する駆動信号出力部と、
前記駆動信号出力部を動作させるための電力を前記駆動信号出力部に供給する電源電力供給部と、
外部から与えられる所定の電源オフ指令を検出するための電源オフ検出部と
を有し、
前記電源オフ検出部は、前記電源オフ指令を検出すると、所定の電源オフ信号を前記電源電力供給部と前記駆動信号出力部とに与え、
前記電源電力供給部は、前記電源オフ信号を受け取ると、予め決められた所定期間だけ前記駆動信号出力部に電力を供給した後に動作を停止し、
前記駆動信号出力部は、前記電源オフ信号を受け取ると、前記電源電力供給部によって電力が供給されている期間中に、前記共通電極と前記補助容量電極とを同電位に設定した後かつ前記補助容量電極駆動信号の出力を停止した後に、前記共通電極駆動信号の出力を停止することを特徴とする、液晶表示装置。
【請求項４】
前記共通電極と前記補助容量電極とが同電位であるか否かを検査する検査手段を更に備え、
前記駆動信号出力部は、前記検査手段による検査の結果、前記共通電極と前記補助容量電極とが同電位になっていれば、前記共通電極駆動信号の出力を停止することを特徴とする、請求項３に記載の液晶表示装置。
【請求項５】
前記駆動信号出力部は、前記共通電極と前記補助容量電極とを短絡させるための短絡手段を含み、
前記短絡手段は、前記電源オフ検出部によって前記電源オフ指令が検出されると前記電源オフ検出部または前記駆動信号出力部から出力される制御信号を受け取り、当該制御信号に基づいて前記共通電極と前記補助容量電極とを短絡させることを特徴とする、請求項３または４に記載の液晶表示装置。
【請求項６】
前記駆動信号出力部は、前記共通電極と前記補助容量電極とを同電位に設定した後かつ前記走査信号の出力を停止する前に、前記第１の所定容量に印加される電圧が液晶の閾値電圧以下となるように前記映像信号を出力することを特徴とする、請求項３から５までのいずれか１項に記載の液晶表示装置。
【請求項７】
表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置の停止方法であって、
外部から与えられる所定の電源オフ指令を検出する電源オフ検出ステップと、
前記電源オフ検出ステップで前記電源オフ指令が検出された後、前記映像信号と、前記複数の走査信号線を駆動するための走査信号と、前記共通電極を駆動するための共通電極駆動信号と、前記補助容量電極を駆動するための補助容量電極駆動信号との出力を停止する駆動信号出力停止ステップと
を含み、
前記駆動信号出力停止ステップでは、前記補助容量電極駆動信号、前記走査信号、前記映像信号、前記共通電極駆動信号の順に各信号の出力が停止されることを特徴とする、停止方法。
【請求項８】
前記駆動信号出力停止ステップでは、前記補助容量電極駆動信号の出力が停止された後かつ前記走査信号の出力が停止される前に、前記第１の所定容量に印加される電圧が液晶の閾値電圧以下となるように前記映像信号が出力されることを特徴とする、請求項７に記載の停止方法。
【請求項９】
表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置の停止方法であって、
外部から与えられる所定の電源オフ指令を検出する電源オフ検出ステップと、
前記電源オフ検出ステップで前記電源オフ指令が検出された後、前記映像信号と、前記複数の走査信号線を駆動するための走査信号と、前記共通電極を駆動するための共通電極駆動信号と、前記補助容量電極を駆動するための補助容量電極駆動信号との出力を停止する駆動信号出力停止ステップと
を含み、
前記駆動信号出力停止ステップでは、前記共通電極と前記補助容量電極とが同電位に設定された後かつ前記補助容量電極駆動信号の出力が停止された後に、前記共通電極駆動信号の出力が停止されることを特徴とする、停止方法。
【請求項１０】
前記駆動信号出力停止ステップは、前記共通電極と前記補助容量電極とが同電位であるか否かを検査する検査ステップを含み、
前記駆動信号出力停止ステップでは、前記検査ステップによる検査の結果、前記共通電極と前記補助容量電極とが同電位になっていれば、前記共通電極駆動信号の出力が停止されることを特徴とする、請求項９に記載の停止方法。
【請求項１１】
前記駆動信号出力停止ステップでは、前記共通電極と前記補助容量電極とが同電位に設定された後かつ前記走査信号の出力が停止される前に、前記第１の所定容量に印加される電圧が液晶の閾値電圧以下となるように前記映像信号が出力されることを特徴とする、請求項９または１０に記載の停止方法。
【発明の詳細な説明】
【技術分野】
【０００１】
本発明は、液晶表示装置およびその停止方法に関し、より詳しくは、共通電極と補助容量電極とが異なる電位に設定されている液晶表示装置およびその停止方法に関する。
【背景技術】
【０００２】
一般に、アクティブマトリクス型の液晶表示装置は、液晶層を挟持する２枚の透明基板を含む液晶表示パネルを備えている。液晶液晶パネルの一方の基板には、ゲートバスライン（走査信号線）とソースバスライン（映像信号線）とが格子状に設けられ、ゲートバスラインとソースバスラインとの交差点近傍にＴＦＴが設けられている。ＴＦＴは、ゲートバスラインから分岐しているゲート電極、ソースバスラインから分岐しているソース電極、およびドレイン電極とから構成される。ドレイン電極は、画像を形成するために基板上にマトリクス状に配置された画素電極と接続されている。また、液晶パネルの他方の基板には、画素電極との間に電圧を印加するための電極（以下「共通電極」という）が設けられており、画素電極と共通電極とによって液晶容量が形成されている。
【０００３】
このような液晶表示装置では、各ゲートバスラインを１水平走査期間ずつ順次に選択するために、アクティブな走査信号の各ゲートバスラインへの印加が１垂直走査期間を周期として繰り返される。このため、各液晶容量に蓄積された電荷は、ほぼ１垂直走査期間保持されなければならない。ところが、液晶容量だけではその蓄積された電荷が保持されないので、液晶容量と並列に補助容量（保持容量）が設けられている。なお、補助容量を形成するための電極（以下「補助容量電極」という）は、画素電極と同一の基板上に設けられている。
【０００４】
ところで、上述のような液晶表示装置においては、ＴＦＴの絶縁不良等によって画素電極と補助容量電極とが短絡することがある。補助容量電極の電位（以下、「補助容量電極電位」ともいう。）と共通電極の電位（以下、「共通電極電位」ともいう。）とが同電位に設定されている場合に画素電極と補助容量電極とが短絡すると、画素電極の電位と共通電極の電位とは同電位となる。その結果、液晶層には電圧が印加されず、ノーマリホワイト型の液晶表示装置の場合には、輝点欠陥が生じる。
【０００５】
そこで、上述のような輝点欠陥の発生を抑止するため、補助容量電極電位と共通電極電位とが異なる電位に設定された液晶表示装置が提案されている。この液晶表示装置によると、上述のような短絡が生じても、液晶層には補助容量電極電位と共通電極電位との電位差に相当する電圧が印加され、輝点欠陥の発生を抑止することができる。
【０００６】
また、液晶表示装置においては、電源をオフすることにより動作を停止する際に、液晶容量に電荷が残留し、その残留電荷に起因して残像が視認されることがある。これに対して、特許文献１には、液晶表示装置の停止の際に、液晶表示パネルを液晶飽和電圧で一旦全面点灯させてから全面消灯させる技術が開示されている。
【特許文献１】特開平１０−２１４０６７号公報
【特許文献２】特開２００４−１１７７５３号公報
【発明の開示】
【発明が解決しようとする課題】
【０００７】
ところが、上述した補助容量電極電位と共通電極電位とが異なる電位に設定された液晶表示装置においては、電源オフ時の補助容量電極電位と共通電極電位との電位差に起因して、電源オフ後もしばらく画素電極に電荷が残ることがある。これについて、図１１を参照しつつ説明する。ここでは、図１１（ａ）に示すように共通電極１５の電位、補助容量電極１４の電位がそれぞれ＋１Ｖ、−６Ｖに設定されており、画素電極１１の電位が＋３Ｖである時に電源がオフされた場合を例に挙げて説明する。一般的に、図１１（ａ）に示すように、共通電極１５の電位は、比較的グラウンド電位に近い電位に設定され、補助容量電極１４の電位は、グラウンド電位からマイナス側に比較的離れた値の電位に設定される。なお、液晶容量１３の容量値Ｃｌｃと補助容量１２の容量値Ｃｃｓとは共に「Ｃ」とする。
【０００８】
容量値Ｃを有する容量に電圧Ｖが印加されたときに当該容量に蓄積される電荷量Ｑは、次式（１）で表わされる。
Ｑ＝Ｃ×Ｖ      ・・・（１）
従って、液晶容量１３に蓄積されている電荷量Ｑｌｃ、補助容量１２に蓄積されている電荷量Ｑｃｓは、電源がオフされる直前には、それぞれ「２Ｃ」、「９Ｃ」となっている。これにより、電荷量Ｑｌｃと電荷量Ｑｃｓとの和Ｑｓｕｍは「１１Ｃ」となる。
【０００９】
ここで、液晶表示装置の電源がオフされると、電源から液晶表示パネルや駆動回路への電力の供給が停止される。このため、補助容量電極電位と共通電極電位とは共にグラウンド電位ＧＮＤにまで低下する。これにより、液晶容量１３に印加される電圧と補助容量１２に印加される電圧とは同電圧となる。また、液晶容量１３の容量値Ｃｌｃと補助容量１２の容量値Ｃｃｓとは共に「Ｃ」であるので、上記電荷量Ｑｓｕｍは、液晶容量１３と補助容量１２とに等しく分配される。従って、図１１（ｂ）に示すように、液晶容量１３の電荷量Ｑｌｃと補助容量の電荷量Ｑｃｓとは、共に「５．５Ｃ」となる。つまり、画素電極に５．５Ｖの電圧が印加される電荷が残ることになる。電源がオフされた後にこのように電荷が残ることは、表示品位の劣化の原因となっており、液晶表示装置の信頼性の低下を引き起こしている。
【００１０】
そこで、本発明は、液晶表示装置において、電源オフ時に画素電極に電荷が残留することに起因する表示品位の低下を防止することを目的とする。
【課題を解決するための手段】
【００１１】
第１の発明は、表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置であって、
前記映像信号と、前記複数の走査信号線を駆動するための走査信号と、前記共通電極を駆動するための共通電極駆動信号と、前記補助容量電極を駆動するための補助容量電極駆動信号とを出力する駆動信号出力部と、
前記駆動信号出力部を動作させるための電力を前記駆動信号出力部に供給する電源電力供給部と、
外部から与えられる所定の電源オフ指令を検出するための電源オフ検出部と
を有し、
前記電源オフ検出部は、前記電源オフ指令を検出すると、所定の電源オフ信号を前記電源電力供給部と前記駆動信号出力部とに与え、
前記電源電力供給部は、前記電源オフ信号を受け取ると、予め決められた所定期間だけ前記駆動信号出力部に電力を供給した後に動作を停止し、
前記駆動信号出力部は、前記電源オフ信号を受け取ると、前記電源電力供給部によって電力が供給されている期間中に、前記補助容量電極駆動信号、前記走査信号、前記映像信号、前記共通電極駆動信号の順に各信号の出力を停止することを特徴とする。
【００１２】
第２の発明は、第１の発明において、
前記駆動信号出力部は、前記補助容量電極駆動信号の出力を停止した後かつ前記走査信号の出力を停止する前に、前記第１の所定容量に印加される電圧が液晶の閾値電圧以下となるように前記映像信号を出力することを特徴とする。
【００１３】
第３の発明は、表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置であって、
前記映像信号と、前記複数の走査信号線を駆動するための走査信号と、前記共通電極を駆動するための共通電極駆動信号と、前記補助容量電極を駆動するための補助容量電極駆動信号とを出力する駆動信号出力部と、
前記駆動信号出力部を動作させるための電力を前記駆動信号出力部に供給する電源電力供給部と、
外部から与えられる所定の電源オフ指令を検出するための電源オフ検出部と
を有し、
前記電源オフ検出部は、前記電源オフ指令を検出すると、所定の電源オフ信号を前記電源電力供給部と前記駆動信号出力部とに与え、
前記電源電力供給部は、前記電源オフ信号を受け取ると、予め決められた所定期間だけ前記駆動信号出力部に電力を供給した後に動作を停止し、
前記駆動信号出力部は、前記電源オフ信号を受け取ると、前記電源電力供給部によって電力が供給されている期間中に、前記共通電極と前記補助容量電極とを同電位に設定した後かつ前記補助容量電極駆動信号の出力を停止した後に、前記共通電極駆動信号の出力を停止することを特徴とする。
【００１４】
第４の発明は、第３の発明において、
前記共通電極と前記補助容量電極とが同電位であるか否かを検査する検査手段を更に備え、
前記駆動信号出力部は、前記検査手段による検査の結果、前記共通電極と前記補助容量電極とが同電位になっていれば、前記共通電極駆動信号の出力を停止することを特徴とする。
【００１５】
第５の発明は、第３または第４の発明において、
前記駆動信号出力部は、前記共通電極と前記補助容量電極とを短絡させるための短絡手段を含み、
前記短絡手段は、前記電源オフ検出部によって前記電源オフ指令が検出されると前記電源オフ検出部または前記駆動信号出力部から出力される制御信号を受け取り、当該制御信号に基づいて前記共通電極と前記補助容量電極とを短絡させることを特徴とする。
【００１６】
第６の発明は、第３から第５までのいずれかの発明において、
前記駆動信号出力部は、前記共通電極と前記補助容量電極とを同電位に設定した後かつ前記走査信号の出力を停止する前に、前記第１の所定容量に印加される電圧が液晶の閾値電圧以下となるように前記映像信号を出力することを特徴とする。
【００１７】
第７の発明は、表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置の停止方法であって、
外部から与えられる所定の電源オフ指令を検出する電源オフ検出ステップと、
前記電源オフ検出ステップで前記電源オフ指令が検出された後、前記映像信号と、前記複数の走査信号線を駆動するための走査信号と、前記共通電極を駆動するための共通電極駆動信号と、前記補助容量電極を駆動するための補助容量電極駆動信号との出力を停止する駆動信号出力停止ステップと
を含み、
前記駆動信号出力停止ステップでは、前記補助容量電極駆動信号、前記走査信号、前記映像信号、前記共通電極駆動信号の順に各信号の出力が停止されることを特徴とする。
【００１８】
第８の発明は、第７の発明において、
前記駆動信号出力停止ステップでは、前記補助容量電極駆動信号の出力が停止された後かつ前記走査信号の出力が停止される前に、前記第１の所定容量に印加される電圧が液晶の閾値電圧以下となるように前記映像信号が出力されることを特徴とする。
【００１９】
第９の発明は、表示すべき画像を示す映像信号を伝達するための複数の映像信号線と、前記複数の映像信号線と交差する複数の走査信号線と、前記複数の映像信号線と前記複数の走査信号線との交差点にそれぞれ対応してマトリクス状に配置され、対応する交差点を通過する走査信号線によってオンおよびオフされる複数のスイッチング素子と、対応する交差点を通過する映像信号線に前記複数のスイッチング素子それぞれを介して接続される複数の画素電極と、前記複数の画素電極に共通的に設けられ、前記画素電極との間に第１の所定容量が形成されるように配置された共通電極と、前記複数の画素電極に共通的に設けられ、前記画素電極との間に第２の所定容量が形成されるように配置され、前記共通電極とは異なる電位に設定される補助容量電極とを備える液晶表示装置の停止方法であって、
外部から与えられる所定の電源オフ指令を検出する電源オフ検出ステップと、
前記電源オフ検出ステップで前記電源オフ指令が検出された後、前記映像信号と、前記複数の走査信号線を駆動するための走査信号と、前記共通電極を駆動するための共通電極駆動信号と、前記補助容量電極を駆動するための補助容量電極駆動信号との出力を停止する駆動信号出力停止ステップと
を含み、
前記駆動信号出力停止ステップでは、前記共通電極と前記補助容量電極とが同電位に設定された後かつ前記補助容量電極駆動信号の出力が停止された後に、前記共通電極駆動信号の出力が停止されることを特徴とする。
【００２０】
第１０の発明は、第９の発明において、
前記駆動信号出力停止ステップは、前記共通電極と前記補助容量電極とが同電位であるか否かを検査する検査ステップを含み、
前記駆動信号出力停止ステップでは、前記検査ステップによる検査の結果、前記共通電極と前記補助容量電極とが同電位になっていれば、前記共通電極駆動信号の出力が停止されることを特徴とする。
【００２１】
第１１の発明は、第９または第１０の発明において、
前記駆動信号出力停止ステップでは、前記共通電極と前記補助容量電極とが同電位に設定された後かつ前記走査信号の出力が停止される前に、前記第１の所定容量に印加される電圧が液晶の閾値電圧以下となるように前記映像信号が出力されることを特徴とする。
【発明の効果】
【００２２】
上記第１の発明によれば、外部から電源オフ指令が与えられても、電源電力供給部によって、予め決められた所定期間、電力の供給が行われる。このため、電源オフ指令が与えられた直後に、電力の供給が停止されることによって一斉に補助容量電極駆動信号や共通電極駆動信号等の出力が停止されることはない。上記所定期間中には、まず、補助容量電極駆動信号の出力が停止される。これにより、補助容量電極の電位がグラウンド電位となる。その結果、第２の所定容量に蓄積される電荷量が減少する。補助容量電極駆動信号の出力が停止された後、走査信号の出力が停止される。このため、スイッチング素子がオフ状態となり、第１の所定容量の電荷量と第２の所定容量の電荷量との和がそのまま維持される。上述のように第２の所定容量に蓄積される電荷量が減少しているので、液晶表示装置の電源オフの際に画素電極に残留する電荷量は従来よりも減少する。その結果、電源オフの際の残留電荷に起因する残像表示等の表示不良の発生が抑制され、表示品位が向上する。
【００２３】
上記第２の発明によれば、補助容量電極の電位がグラウンド電位になった後に、液晶に印加される電圧が閾値電圧以下となるように、駆動用映像信号が出力される。このため、第１の所定容量に蓄積される電荷量がほぼ零になる。これにより、画素電極に残留する電荷を効果的に除去することができ、より表示品位を高めることができる。
【００２４】
上記第３の発明によれば、外部から電源オフ指令が与えられても、電源電力供給部によって、予め決められた所定期間、電力の供給が行われる。このため、電源オフ指令が与えられた直後に、電力の供給が停止されることによって一斉に補助容量電極駆動信号や共通電極駆動信号等の出力が停止されることはない。上記所定期間中には、共通電極の電位と補助容量電極の電位とが同じ電位となった後、共通電極駆動信号の出力が停止される。また、共通電極駆動信号の出力が停止される前に、補助容量電極駆動信号の出力は停止されている。このため、液晶表示装置が停止する直前には、補助容量電極の電位は共通電極の電位まで上昇し、第２の所定容量の電荷量が減少する。これにより、液晶表示装置の電源オフの際に画素電極に残留する電荷量が、従来よりも減少する。その結果、電源オフの際の残留電荷に起因する残像表示等の表示不良の発生が抑制され、表示品位が向上する。
【００２５】
上記第４の発明によれば、共通電極の電位と補助容量電極の電位とが同電位になったか否かを検査手段で検査することができる。このため、共通電極駆動信号の出力を停止する前に、確実に共通電極の電位と補助容量電極の電位とを同電位にすることができる。これにより、電源オフの際の残留電荷を確実に減少させることができる。
【００２６】
上記第５の発明によれば、短絡手段によって共通電極の電位と補助容量電極の電位とを同電位に設定することができる。これにより、上記第３の発明と同様、電源オフの際の残留電荷に起因する残像表示等の表示不良の発生が抑制され、表示品位が向上する。
【００２７】
上記第６の発明によれば、共通電極の電位と補助容量電極の電位とが同電位になった後に、液晶に印加される電圧が閾値電圧以下となるように、駆動用映像信号が出力される。このため、第１の所定容量および第２の所定容量に蓄積される電荷量がほぼ零になる。これにより、画素電極に残留する電荷を効果的に除去することができ、より表示品位を高めることができる。
【発明を実施するための最良の形態】
【００２８】
以下、添付図面を参照しつつ本発明の実施形態について説明する。
【００２９】
＜１．第１の実施形態＞
＜１．１  液晶表示装置の全体構成および動作＞
図１は、本発明の第１の実施形態に係るアクティブマトリクス型液晶表示装置の全体構成を示すブロック図である。この液晶表示装置は、液晶表示パネル１００とドライバコントローラ２００とソースドライバ（映像信号線駆動回路）３００とゲートドライバ（走査信号線駆動回路）４００と駆動信号発生回路５００と映像信号分配回路６００と検出器７１０とマイクロコンピュータ７２０と主電源７３０と電源制御部７４０と補助電源７５０とを備えている。
【００３０】
液晶表示パネル１００は、複数本（ｍ本）の走査信号線としてのゲートバスラインＧＬ１〜ＧＬｍと、それらのゲートバスラインＧＬ１〜ＧＬｍのそれぞれと交差する複数本（ｎ本）の映像信号線としてのソースバスラインＳＬ１〜ＳＬｎと、それらのゲートバスラインＧＬ１〜ＧＬｍとソースバスラインＳＬ１〜ＳＬｎとの交差点にそれぞれ対応して設けられた複数個（ｍ×ｎ個）の画素形成部（不図示）とを含んでいる。ゲートバスラインＧＬ１〜ＧＬｍはゲートドライバ４００と接続されており、ソースバスラインＳＬ１〜ＳＬｎはソースドライバ３００と接続されている。なお、画素形成部の詳細な構成については後述する。
【００３１】
検出器７１０は、オペレータによる電源ボタン（不図示）の押下に基づく電源オンまたは電源オフの指令を検出し、当該指令をマイクロコンピュータ７２０に与える。マイクロコンピュータ７２０は、検出器７１０から電源オンの指令を受け取ると、電源オン信号を出力し、電源オフの指令を受け取ると、電源オフ信号Ｓｏｆｆを出力する。マイクロコンピュータ７２０から出力された電源オン信号あるいは電源オフ信号Ｓｏｆｆは、主電源７３０と補助電源７５０と駆動信号発生回路５００とに与えられる。主電源７３０は、液晶表示パネル１００や駆動信号発生回路５００その他の液晶表示装置全体に電力を供給する。また、主電源７３０は、電源オン信号を受け取ると動作を開始し、電源オフ信号Ｓｏｆｆを受け取ると動作を停止する。電源制御部７４０は、液晶表示パネル１００や駆動信号発生回路５００等への主電源７３０からの電力の供給を制御する。補助電源７５０は、主電源７３０の動作が停止した後の所定期間、液晶表示パネル１００や駆動信号発生回路５００等に電力を供給する。なお、本実施形態においては、検出器７１０とマイクロコンピュータ７２０とによって電源オフ検出部が実現され、主電源７３０と電源制御部７４０と補助電源７５０とによって電源電力供給部が実現されている。
【００３２】
駆動信号発生回路５００は、液晶表示パネル１００に画像を表示するタイミングを制御するためのタイミング信号ＴＧと、表示すべき画像を表わす映像信号ＤＶと、補助容量電極を駆動するための補助容量電極駆動信号Ｖｃｓと共通電極を駆動するための共通電極駆動信号Ｖｃｏｍとを出力する。映像信号分配回路６００は、駆動信号発生回路５００から出力された映像信号ＤＶを受け取り、当該映像信号ＤＶをＲ（Ｒｅｄ：赤色）、Ｇ（Ｇｒｅｅｎ：緑色）およびＢ（Ｂｌｕｅ：青色）の３つの単色映像信号として出力する。
【００３３】
ドライバコントローラ２００は、駆動信号発生回路５００から出力されたタイミング信号ＴＧを受け取り、ソースドライバ３００の動作を制御するためのソース制御信号Ｓｓとゲートドライバ４００の動作を制御するためのゲート制御信号Ｓｇとを出力する。ソースドライバ３００は、ドライバコントローラ２００から出力されたソース制御信号Ｓｓと映像信号分配回路６００から出力された３つの単色映像信号とに基づいて、駆動用映像信号を各ソースバスラインＳＬ１〜ＳＬｎに印加する。ゲートドライバ４００は、ドライバコントローラ２００から出力されたゲート制御信号Ｓｇに基づいて、アクティブな走査信号の各ゲートバスラインＧＬ１〜ＧＬｍへの印加を１垂直走査期間を周期として繰り返す。液晶表示装置の動作中には、このようにして、各ソースバスラインＳＬ１〜ＳＬｎに駆動用映像信号が印加され、各ゲートバスラインＧＬ１〜ＧＬｍに走査信号が印加されることにより、液晶表示パネル１００に画像が表示される。
【００３４】
なお、本実施形態においては、ドライバコントローラ２００とソースドライバ３００とゲートドライバ４００と駆動信号発生回路５００と映像信号分配回路６００とによって駆動信号出力部が実現されている。
【００３５】
＜１．２  画素形成部の構成＞
図２は、この液晶表示装置の画素形成部の構成を示す回路図である。図２に示すように、各画素形成部には、スイッチング素子としてのＴＦＴ１０と、そのＴＦＴ１０のドレイン端子に接続された画素電極１１と、上記複数の画素形成部に共通的に設けられた共通電極１５および補助容量電極１４と、画素電極１１と共通電極１５とによって形成される第１の所定容量としての液晶容量１３と、画素電極１１と補助容量電極１４とによって形成される第２の所定容量としての補助容量１２とが含まれている。また、各ＴＦＴ１０のゲート端子は対応する交差点を通過するゲートバスラインに接続され、各ＴＦＴ１０のソース端子は対応する交差点を通過するソースバスラインに接続されている。各ＴＦＴは、対応する交差点を通過するゲートバスラインによってオンおよびオフされる。
【００３６】
＜１．３  液晶表示装置の停止手順＞
次に、本実施形態における液晶表示装置の停止手順について説明する。図３は、本実施形態において、液晶表示装置が停止する際の動作手順を示すフローチャートである。液晶表示装置の作動中にオペレータによって電源ボタンが押下されると、検出器７１０は、電源ボタンが押下された旨を検出し、マイクロコンピュータ７２０に電源オフ指令を与える（ステップＳ１１０）。ステップＳ１１０の終了後、ステップＳ１２０に進み、マイクロコンピュータ７２０は、電源オフ指令を受け取り、電源オフ信号Ｓｏｆｆを出力する。ステップＳ１２０の終了後、ステップＳ１３０に進み、液晶表示パネル１００や駆動信号発生回路５００等への電力の供給源が主電源７３０から補助電源７５０に切り替えられる。具体的には、主電源７３０は、マイクロコンピュータ７２０から出力された電源オフ信号Ｓｏｆｆに基づいて動作を停止する。これにより、主電源７３０から電源制御部７４０を介した駆動信号発生回路５００等への電力の供給が停止される。一方、補助電源７５０は、電源オフ信号Ｓｏｆｆに基づいて動作を開始する。これにより、駆動信号発生回路５００等へは、補助電源７５０から電力が供給される。
【００３７】
ステップＳ１３０の終了後、ステップＳ１４０に進み、駆動信号発生回路５００が、補助容量電極駆動信号Ｖｃｓの出力を停止する。これにより、補助容量電極１４の電位がグラウンド電位ＧＮＤとなる。ステップＳ１４０の終了後、ステップＳ１５０に進み、ゲートドライバ４００が、走査信号の出力を停止する。ステップＳ１５０の終了後、ステップＳ１６０に進み、ソースドライバ３００が、駆動用映像信号の出力を停止する。ステップＳ１６０の終了後、ステップＳ１７０に進み、駆動信号発生回路５００が、共通電極駆動信号Ｖｃｏｍの出力を停止する。ステップＳ１７０の終了後、ステップＳ１８０に進み、補助電源７５０の動作が停止する。以上のようにして、液晶表示装置の動作が停止する。
【００３８】
＜１．４  効果＞
次に、図４（ａ）に示すように、共通電極１５の電位、補助容量電極１４の電位がそれぞれ＋１Ｖ、−６Ｖに設定されており、画素電極１１の電位が＋３Ｖである時に電源オフの指令が検出された場合を例に挙げて、本実施形態による効果について説明する。なお、液晶容量１３の容量値Ｃｌｃと補助容量１２の容量値Ｃｃｓとは共に「Ｃ」とする。
【００３９】
液晶容量１３に蓄積されている電荷量Ｑｌｃ、補助容量１２に蓄積されている電荷量Ｑｃｓは、電源がオフされる直前には、それぞれ「２Ｃ」、「９Ｃ」となっている。ここで、本実施形態によると、液晶表示装置が停止する際には、液晶表示パネル１００や駆動信号発生回路５００等への電力の供給源が主電源７３０から補助電源７５０に切り替えられる。このため、電源ボタンが押下された直後に、電力の供給が停止されることによって一斉に補助容量電極駆動信号Ｖｃｓや共通電極駆動信号Ｖｃｏｍの出力が停止されることはない。
【００４０】
補助電源７５０によって駆動信号発生回路５００等への電力の供給が行われている期間中には、まず、補助容量電極駆動信号Ｖｃｓの出力が停止される。これにより、補助容量電極１４の電位がグラウンド電位ＧＮＤとなる。その結果、補助容量１２の電荷量Ｑｌｃは、図４（ｂ）に示すように、「３Ｃ」となる。これにより、電荷量Ｑｌｃと電荷量Ｑｃｓとの和Ｑｓｕｍは「５Ｃ」となる。
【００４１】
補助容量電極駆動信号Ｖｃｓの出力が停止された後、走査信号の出力が停止される。このため、液晶表示パネル１００内の全てのＴＦＴ１０がオフ状態となり、それらＴＦＴ１０のソース−ドレイン間では電流が流れなくなる。これにより、電荷量Ｑｌｃと電荷量Ｑｃｓとの和Ｑｓｕｍは「５Ｃ」で維持される。その後、駆動用映像信号の出力が停止され、更に、共通電極駆動信号Ｖｃｏｍの出力が停止される。これにより、共通電極１５の電位がグラウンド電位ＧＮＤとなる。ここで、上述のとおり、液晶容量１３の容量値Ｃｌｃと補助容量１２の容量値Ｃｃｓとは共に「Ｃ」である。従って、上記電荷量Ｑｓｕｍは、液晶容量１３と補助容量１２とに等しく分配される。その結果、図４（ｃ）に示すように、液晶容量１３の電荷量Ｑｌｃと補助容量１２の電荷量Ｑｃｓとは、共に「２．５Ｃ」となる。
【００４２】
このように、本実施形態によれば、液晶表示装置の電源オフの際に画素電極１１に残留する電荷量が、従来よりも少なくなる。その結果、電源オフの際の残留電荷に起因する残像表示等の表示不良の発生が抑制され、表示品位が向上する。
【００４３】
＜２．第２の実施形態＞
＜２．１  液晶表示装置の全体構成および動作＞
図５は、本発明の第２の実施形態に係るアクティブマトリクス型液晶表示装置の全体構成を示すブロック図である。図１に示す第１の実施形態と同様の構成要素については、同一の参照符号を付し、説明を省略する。また、画素形成部の構成については、図２に示す第１の実施形態と同様の構成である。
【００４４】
この液晶表示装置は、第１の実施形態における構成要素に加えて、短絡手段としてのＣｓスイッチ８００を備えている。マイクロコンピュータ７２０は、検出器７１０から電源オンの指令を受け取ると、電源オン信号を出力し、電源オフの指令を受け取ると、電源オフ信号ＳｏｆｆとＣｓスイッチ制御信号Ｓｃｓとを出力する。Ｃｓスイッチ８００は、マイクロコンピュータ７２０から出力されたＣｓスイッチ制御信号Ｓｃｓを受け取り、共通電極１５と補助容量電極１４とを短絡させる。
【００４５】
＜２．２  液晶表示装置の停止手順＞
次に、本実施形態における液晶表示装置の停止手順について説明する。図６は、本実施形態において、液晶表示装置が停止する際の動作手順を示すフローチャートである。液晶表示装置の作動中にオペレータによって電源ボタンが押下されると、検出器７１０は、電源ボタンが押下された旨を検出し、マイクロコンピュータ７２０に電源オフ指令を与える（ステップＳ２１０）。ステップＳ２１０の終了後、ステップＳ２２０に進み、マイクロコンピュータ７２０は、電源オフ指令を受け取り、電源オフ信号Ｓｏｆｆを出力する（ステップＳ２２０）。ステップＳ２２０の終了後、ステップＳ２３０に進み、液晶表示パネル１００や駆動信号発生回路５００等への電力の供給源が主電源７３０から補助電源７５０に切り替えられる。具体的には、主電源７３０は、マイクロコンピュータ７２０から出力された電源オフ信号Ｓｏｆｆに基づいて動作を停止する。これにより、主電源７３０から電源制御部７４０を介した駆動信号発生回路５００等への電力の供給が停止される。一方、補助電源７５０は、電源オフ信号Ｓｏｆｆに基づいて動作を開始する。これにより、駆動信号発生回路５００等へは、補助電源７５０から電力が供給される。
【００４６】
ステップＳ２３０の終了後、ステップＳ２４０に進み、マイクロコンピュータ７２０が、Ｃｓスイッチ制御信号Ｓｃｓを出力する。ステップＳ２４０の終了後、ステップＳ２５０に進み、Ｃｓスイッチ８００が、Ｃｓスイッチ制御信号Ｓｃｓに基づいて、共通電極１５と補助容量電極１４とを短絡させる。これにより、共通電極１５の電位と補助容量電極１４の電位とが同電位となる。
【００４７】
ステップＳ２５０の終了後、ステップＳ２６０に進み、駆動信号発生回路５００が、補助容量電極駆動信号Ｖｃｓの出力を停止する。ステップＳ２６０の終了後、ステップＳ２７０に進み、ゲートドライバ４００が、走査信号の出力を停止する。ステップＳ２７０の終了後、ステップＳ２８０に進み、ソースドライバ３００が、駆動用映像信号の出力を停止する。ステップＳ２８０の終了後、ステップＳ２９０に進み、駆動信号発生回路５００が、共通電極駆動信号Ｖｃｏｍの出力を停止する。ステップＳ２９０の終了後、ステップＳ３００に進み、補助電源７５０の動作が停止する。以上のようにして、液晶表示装置の動作が停止する。
【００４８】
＜２．３  効果＞
次に、図７（ａ）に示すように、白電圧２．０Ｖ、黒電圧６．０Ｖとなるノーマリーホワイト型の液晶表示装置において共通電極１５の電位、補助容量電極１４の電位がそれぞれ＋１Ｖ、−６Ｖに設定されており、画素電極１１の電位が＋３Ｖである時に電源オフの指令が検出された場合を例に挙げて、本実施形態による効果について説明する。なお、液晶容量１３の容量値Ｃｌｃと補助容量１２の容量値Ｃｃｓとは共に「Ｃ」とする。
【００４９】
上記第１の実施形態と同様、液晶容量１３に蓄積されている電荷量Ｑｌｃ、補助容量１２に蓄積されている電荷量Ｑｃｓは、電源がオフされる直前には、それぞれ「２Ｃ」、「９Ｃ」となっている。本実施形態においては、液晶表示パネル１００や駆動信号発生回路５００等への電力の供給源が主電源７３０から補助電源７５０に切り替えられた後、共通電極１５と補助容量電極１４とが短絡する。これにより、共通電極１５の電位と補助容量電極１４の電位とは同電位となる。その後、補助容量電極駆動信号Ｖｃｓの出力が停止されることにより、共通電極１５の電位と補助容量電極１４の電位とは、共に＋１Ｖになる。その結果、液晶容量１３の電荷量Ｑｌｃと補助容量１２の電荷量Ｑｃｓとは、図７（ｂ）に示すように、共に「２Ｃ」となる。これにより、電荷量Ｑｌｃと電荷量Ｑｃｓとの和Ｑｓｕｍは「４Ｃ」となる。
【００５０】
補助容量電極駆動信号Ｖｃｓの出力が停止された後、上記第１の実施形態と同様、走査信号の出力、駆動用映像信号の出力、および共通電極駆動信号Ｖｃｏｍの出力が順次に停止される。これにより、上記電荷量Ｑｓｕｍは、液晶容量１３と補助容量１２とに等しく分配される。その結果、図７（ｃ）に示すように、液晶容量１３の電荷量Ｑｌｃと補助容量１２の電荷量Ｑｃｓとは、共に「２Ｃ」となる。したがって、液晶に印加される電圧を２Ｖにすることができ、電荷残りが表示に影響することを防止することができる。
【００５１】
このように、本実施形態によれば、共通電極駆動信号Ｖｃｏｍの出力が停止される前に、共通電極１５と補助容量電極１４とが短絡する。また、共通電極駆動信号Ｖｃｏｍの出力が停止される前に補助容量電極駆動信号Ｖｃｓの出力が停止される。これにより、補助容量電極１４の電位が、共通電極１５の電位と同じ電位となり、液晶表示装置の電源オフの際に画素電極１１に残留する電荷量を、上記第１の実施形態よりも更に少なくすることができる。その結果、電源オフの際の残留電荷に起因する残像表示等の表示不良の発生が効果的に抑制され、表示品位がより向上する。なお、共通電極１５の電位と補助容量電極１４の電位とが同電位になっているか否かを検査する検査手段を備え、上記ステップＳ２５０において当該検査手段により共通電極１５の電位と補助容量電極１４の電位とが同電位になっているか否かを検査する構成にすれば、より確実に画素電極１１に残留する電荷量を少なくすることができる。
【００５２】
＜２．４  変形例＞
次に、上記第２の実施形態の変形例について説明する。図８は、本変形例において、液晶表示装置が停止する際の動作手順を示すフローチャートである。図６に示す第２の実施形態における動作手順に加えて、ステップＳ２６０とステップＳ２７０との間にステップＳ２６５が設けられている。ステップＳ２６５では、液晶容量１３と補助容量１２とに印加される電圧が液晶の閾値電圧以下となるように、ソースドライバ３００から駆動用映像信号が出力される。なお、ノーマリホワイト型の液晶表示装置においては、液晶の透過率が９５パーセントになっている時に液晶に印加されている電圧が閾値電圧である。一方、ノーマリブラック型の液晶表示装置においては、液晶の透過率が１パーセントになっている時に液晶に印加されている電圧が閾値電圧である。
【００５３】
図９は、本変形例による効果を説明するための図である。図９（ａ）に示すように、共通電極１５の電位、補助容量電極１４の電位がそれぞれ＋１Ｖ、−６Ｖに設定されており、画素電極１１の電位が＋３Ｖである時に電源オフの指令が検出された場合を例に挙げて説明する。なお、液晶容量１３の容量値Ｃｌｃと補助容量１２の容量値Ｃｃｓとは共に「Ｃ」とする。上記第２の実施形態と同様、共通電極１５と補助容量電極１４とが短絡し、補助容量電極駆動信号Ｖｃｓの出力が停止されることにより、図９（ｂ）に示すように、共通電極１５の電位と補助容量電極１４の電位とは、共に＋１Ｖになる。その後、液晶に印加される電圧が閾値電圧以下となるように、駆動用映像信号が出力される。これにより、図９（ｃ）に示すように、液晶容量１３の電荷量Ｑｌｃと補助容量１２の電荷量Ｑｃｓとは、共に「０」となる。その後、共通電極駆動信号Ｖｃｏｍの出力が停止されるが、図９（ｄ）に示すように、液晶容量１３の電荷量Ｑｌｃと補助容量１２の電荷量Ｑｃｓとは、共に「０」で維持される。
【００５４】
以上のように、本変形例によれば、共通電極１５と補助容量電極１４とが短絡した後に、液晶に印加される電圧が閾値電圧以下となるように、駆動用映像信号が出力される。これにより、画素電極１１に蓄積されている電荷が効果的に除去される。その結果、上記第２の実施形態よりも更に表示品位を高めることができる。
【００５５】
＜３．その他＞
上記第２の実施形態において、補助容量電極駆動信号Ｖｃｓの出力を停止するタイミングを、共通電極１５と補助容量電極１４とが短絡した後であって走査信号の出力を停止する前にしているが、本発明はこれに限定されない。補助容量電極駆動信号Ｖｃｓの出力を停止するタイミングは、共通電極駆動信号Ｖｃｏｍの出力を停止する前であれば、例えば、走査信号の出力を停止した後であって駆動用映像信号の出力を停止する前であっても良い。
【００５６】
また、上記第２の実施形態においては、Ｃｓスイッチ８００を制御するためのＣｓスイッチ制御信号Ｓｃｓはマイクロコンピュータ７２０から出力される構成としているが、本発明はこれに限定されない。例えば、図１０に示す構成のように、駆動信号発生回路５００がＣｓスイッチ制御信号Ｓｃｓを出力する構成としても良い。
【図面の簡単な説明】
【００５７】
【図１】本発明の第１の実施形態に係るアクティブマトリクス型液晶表示装置の全体構成を示すブロック図である。
【図２】上記第１の実施形態における画素形成部の構成を示す回路図である。
【図３】上記第１の実施形態において、液晶表示装置が停止する際の動作手順を示すフローチャートである。
【図４】上記第１の実施形態における効果を説明するための図である。
【図５】本発明の第２の実施形態に係るアクティブマトリクス型液晶表示装置の全体構成を示すブロック図である。
【図６】上記第２の実施形態において、液晶表示装置が停止する際の動作手順を示すフローチャートである。
【図７】上記第２の実施形態における効果を説明するための図である。
【図８】上記第２の実施形態の変形例において、液晶表示装置が停止する際の動作手順を示すフローチャートである。
【図９】上記第２の実施形態の変形例における効果を説明するための図である。
【図１０】上記第２の実施形態の別の変形例における全体構成図を示すブロック図である。
【図１１】従来例において、電源オフの際の残留電荷について説明するための図である。
【符号の説明】
【００５８】
１０…ＴＦＴ
１１…画素電極
１２…補助容量
１３…液晶容量
１４…補助容量電極
１５…共通電極
１００…液晶表示パネル
２００…ドライバコントローラ
３００…ソースドライバ（映像信号線駆動回路）
４００…ゲートドライバ（走査信号線駆動回路）
５００…駆動信号発生回路
６００…映像信号分配回路
７１０…検出器
７２０…マイクロコンピュータ
７３０…主電源
７４０…電源制御部
７５０…補助電源
８００…Ｃｓスイッチ
Ｓｏｆｆ…電源オフ信号
Ｖｃｏｍ…共通電極駆動信号
Ｖｃｓ…補助容量電極駆動信号
【図１】
2007102007.tif 000003
【図２】
2007102007.tif 000004
【図３】
2007102007.tif 000005
【図４】
2007102007.tif 000006
【図５】
2007102007.tif 000007
【図６】
2007102007.tif 000008
【図７】
2007102007.tif 000009
【図８】
2007102007.tif 000010
【図９】
2007102007.tif 000011
【図１０】
2007102007.tif 000012
【図１１】
2007102007.tif 000013